(57)【要約】【課題】  腰に巻き付けて着用する安全ベルトであって、一般の作業ズボンのベルトとして着用することが出来るコンパクトで使いやすい安全ベルトの提供。【解決手段】  安全ベルトはベルトの端部にバックル２を取着し、バックル２には回転ドラム８を取付けて回転可能に軸支し、該回転ドラム８には命綱収納用ロープ９が巻き取られ、一方、安全ベルトには先端にフック７を取付けた命綱５の基端が連結し、そして命綱５には上記命綱収納用ロープ９の先端が連結し、さらに該安全ベルトには上記回転ドラム８と命綱５の基端との間に収容空間を形成したガイド部１０を沿設し、回転ドラム８に命綱収納用ロープ９を巻き取ることで命綱５が引っ張られて収容空間に収納される。【選択図】    図１
2009045331.tif 000002
【特許請求の範囲】
【請求項１】
腰に巻き付けて着用する安全ベルトにおいて、該安全ベルトはベルトの端部にバックルを取着し、バックルには回転ドラムを取付けて回転可能に軸支し、該回転ドラムには命綱収納用ロープが巻き取られ、一方、安全ベルトには先端にフックを取付けた命綱の基端が連結し、そして命綱には上記命綱収納用ロープの先端が連結し、さらに該安全ベルトには上記回転ドラムと命綱の基端との間に収容空間を形成したガイド部を沿設し、回転ドラムに命綱収納用ロープを巻き取ることで命綱が引っ張られて収容空間に収納されることを特徴とする安全ベルト。
【請求項２】
回転ドラムにハンドルを取付けて手動で回転可能とした請求項１記載の安全ベルト。
【請求項３】
回転ドラムにゼンマイバネを内蔵して、命綱収納用ロープを自動巻き取り可能とした請求項１記載の安全ベルト。
【請求項４】
命綱の基端にはフック着脱具をベルトに固定した請求項１、請求項２、又は請求項３記載の安全ベルト。
【発明の詳細な説明】
【技術分野】
【０００１】
本発明はビルの建設や電気配線工事など、高所で作業する場合に使用する安全ベルトに関するものである。
【背景技術】
【０００２】
近年の建物は非常に高くて、高所で色々な作業するケースは多く、それに伴って危険が付きまとう。労働安全衛生規則によると、作業床のない場合、作業床の開口部高さ２m以上での作業については安全ベルトを使用しなくてはならないように義務付けされている。しかし現状では安全ベルト未使用のために、墜落・転落による死亡災害は後を絶たない。
【０００３】
短時間で終わるような作業であっても、安全ベルトを使用しなくてはならないが、既存の安全ベルトを身に付けて作業しない場合も多い。特に、梯子や脚立での簡単な作業中に転倒して被災する場合が多い。又、高所作業車に載って作業する場合でも、バケット内で安全ベルトを使用しなくてはならないが、職種によっては全く使用していない場合も多く見受けられる。
【０００４】
安全ベルトにも色々な構造のものが知られているが、基本的な構造に関しては「労働安全衛生法第４２条」に規定されている。特開平６−７４７０号に係る「安全装置」は構造が簡単であり、確実且つ安全に作動し、非常に簡単に安全ロープに取付けることが出来、何れの方向においても作動することが出来るように、高所で作業する作業者用の安全装置である。
【０００５】
すなわち、「安全ロープが通る通路を限定する本体と、皮帯よりベルトに接続されるリングと、ブレーキと、万一作業者が転落した場合、本装置をロープに固定する施錠装置とから構成し、ブレーキを構成する歯車をスピンドルに嵌合し、スピンドル上には安全ロープと協働する歯をもつカムを取付け、カムにバネで取付けられた歯付きリングから離して保持される爪と協働する重りを備え、歯車が限界点より大きい速度で回転する場合、爪が歯付きリングと係合して、カムの歯が安全ロープを通路に施錠させるようにしている。」
ところで、このように構成した上記安全ベルトの施錠装置の寸法は大きくて重く、常時携帯するには違和感があると共に面倒である。その為に、安全ベルトを着用しないで高所へ上がって作業する場合も多くみられ、それが為に転落事故を引き起こしているのが現状である。
【特許文献１】特開平６−７４７０号に係る「安全装置」
【発明の開示】
【発明が解決しようとする課題】
【０００６】
このように従来の安全ベルトには上記のごとき問題がある。本発明が解決しようとする課題はこの問題点であり、作業ズボンの通常ベルトとして使用することが出来るように使い易くてコンパクトな安全ベルトを提供する。すなわち、安全ベルトとしての機能を備えた作業ズボンの一般ベルトであり、その為に高所での作業をするに当って、別途装着する必要のない安全ベルトである。
【課題を解決するための手段】
【０００７】
本発明に係る安全ベルトは、通常のベルトとしての使用も可能なコンパクトなサイズで構成される。着用する際には正面にバックルを有し、該バックルを介してベルトが締結されるが、バックルとベルトの連結構造は自由であって限定されるものではない。そして、本発明に係る安全ベルトのバックルには、回転ドラムが取付けられ、該回転ドラムには命綱収納用ロープが巻き取られる。ここで、回転ドラムにゼンマイバネを備えて自動巻取り構造とする場合、又はハンドル操作で手動巻取り構造とする場合の何れでもよい。
【０００８】
そして、ベルトには命綱が連結して取付けられ、該命綱の中間部位には命綱収納用ロープが連結している。命綱収納用ロープは上記のごとく回転ドラムに巻き取られるが、回転ドラムに巻き取られることで命綱は回転ドラム側へ引き寄せられる。そこで、該安全ベルトには回転ドラムと命綱が連結される基端との間には、収容空間が形成されるガイド部が沿設される。ただし、ガイド部の形態は限定しない。
【０００９】
命綱の先端には安定した固定部材に係止することが出来るフックが取着され、命綱の基端が固定される安全ベルトにはフック着脱具が取付けられている。ここで、フックの具体的な構造、及びフック着脱具の具体的な構造は限定しない。そして、安全ベルトに沿って形成される命綱収容空間を形成するガイド部の具体的な形態も限定しない。
【発明の効果】
【００１０】
本発明の安全ベルトには命綱を取付けており、該命綱の先端に設けたフックを安定した固定部材に係止することが出来る。従って、高所で作業する場合、命綱の先端フックを適当な固定部材に係止することで、作業中に足場から足を踏み外したり、転倒した際に落下することはなく、少なくとも命は守られる。本発明の安全ベルトは命綱を備えたものであるが、ベルト本体の一部として構成され、作業ズボンを着用する際に必要な一般ベルトとして使用できる。
【００１１】
そして、本発明の安全ベルトのバックルに回転ドラムを備え、回転ドラムには命綱収納用ロープが巻き取られ、それに伴って命綱はベルトに沿って形成した収納空間に収納される。すなわち、命綱は必要な場合に命綱収納用ロープを巻き戻して収容空間から引き出され、不必要な時には安全ベルト内に収納されている。又、命綱先端のフックは命綱着脱具に取付けられることで、命綱を必要としない作業ではフックがガタ付くこともない。
【実施例】
【００１２】
図１は本発明に係る安全ベルトを示す実施例であり、同図の１はベルト、２はバックル、３は連結係合部を表している。ベルト１は引張り強度の高い素材で構成され、例えば株式会社クラレの「ベクトラン」(商標)が適している。このベクトランは高強度ポリアリレート繊維で、引張り強度、低吸水、耐摩耗性に優れ、ロープや魚網、被覆材などに使用されている。従って、このベクトランを素材として用いたベルトは安全ベルトとして適している。
【００１３】
上記バックル２はベルト１の一方端に連結・固定され、連結係合部３はベルト１の他端に連結されている。そして、ベルト１の長さを調整する為のベルト長さ調整具４を備え、該ベルト１を腰に巻き付けて連結係合部３をバックル２に形成した穴に嵌めて係合することで、安全ベルトを腰に装着できる。ベルト１の長さが合わない時には、上記ベルト長さ調整具４を移動して調節する。
【００１４】
ベルト１には命綱５が取付けられ、該命綱５はベルト１に固定されているフック着脱具６から延びている。命綱５の先端に取着したフック７はこのフック着脱具６に取付けられる。同図に示しているフック７は長方形のリングを成しているが、その他の形状及び構造とすることは自由であり、安定した固定部材にワンタッチで係止することが可能な構造と成っている。
【００１５】
そして、上記バックル２には回転ドラム８が取付けられ、該回転ドラム８は回転可能に軸支され、この回転ドラム８には命綱収納用ロープ９が巻き取られる。ここで、命綱収納用ロープ９の先端は上記命綱５と連結している為に、命綱収納用ロープ９が回転ドラム８に巻き取られるならば、命綱５は回転ドラム８側へ引き寄せられる。
【００１６】
ベルト１にはガイド部１０を沿設し、ガイド部１０はその両端を開口した収容空間を連続して形成している。ガイド部１０の収容空間には命綱収納用ロープ９が収容され、回転ドラム８が回転して命綱収納用ロープ９が巻き取られるならば、ガイド部１０の収容空間へは命綱５が収納される。ガイド部１０はベルト１の湾曲に追従して湾曲できるように柔軟な材質が用いられている。
【００１７】
図２は命綱５の一部がガイド収容空間に収納されている場合を示しているが、このように回転ドラム８が回転することで命綱収納用ロープ９が巻き取られると共に、該命綱５は引っ張られて収容空間へ収納される。図３は命綱５がガイド収容空間に収納されている状態であって、しかも命綱５の先端に連結して取付けられているフック７がフック着脱具６に係合して取付けられた場合である。
【００１８】
命綱５はガイド収容空間へ引っ張られて収納されるが、その為に該フック７がガタ付くことなく定位置に安定するようにフック着脱具６に係合可能と成っている。係合形態の具体的手段は自由であるが、例えばフック着脱具６にバネ性のツメを突出しておき、該ツメにフック７が係止するように構成することが出来る。
【００１９】
一方、上記回転ドラム８にはハンドルを備え、該ハンドルを手動で回転することで命綱収納用ロープ９を巻き取ることが出来、又は回転ドラム８にゼンマイバネを内蔵しておき、このゼンマイバネのバネ力を用いて命綱収納用ロープ９を巻き取るように回転することも可能である。ただし、命綱５を引き出した場合、回転ドラム８はバネ力にて逆転するが、命綱５を引き出した状態で回転ドラム８が逆回転しないロック機構を備えている。
【００２０】
すなわち、作業中に回転ドラム８に命綱収納用ロープ９が巻き取られて命綱５が引っ張られないロック機構が必要となる。ロック機構を解除することで回転ドラム８が回転して命綱収納用ロープ９が巻き取られる。ここで、ロック機構の具体的な構造は自由であるが、例えばラチェット機構を用いることで回転ドラム８の逆転を防止することが出来る。
【００２１】
図４は本発明の安全ベルトを示す具体例であり、（ａ）は命綱５がガイド部１０の収容空間に収納されている場合、（ｂ）は命綱５が収容空間から引き出されている場合を示している。同図の命綱５はベルト１より細いバンドが使用されている。
【００２２】
図５は本発明の安全ベルトを装着した状態で、命綱はベルト１から引き出して延びている。該命綱５の先端に連結しているフック７は適当な安定部材に係止することが出来る。図６(ａ)、(ｂ)は安全ベルトを使用して作業を行っている場合を表している。同図(ａ)は作業者１１が脚立１２に載っているが、安全ベルトから延びる命綱５の先端フック７は上部の水平部材１３に係止されている。従って、作業者１１が身体のバランスを崩して転倒しても、床まで落下することはない。
【００２３】
同図(ｂ)の場合には、作業者１１が建設現場に組み上げられた足場１４の高所に載って作業しているが、安全ベルトの命綱５の先端フック７を足場１４の桟に係止している。従って、作業者１１が不注意で転倒しても、足場１４から落下することはなく、少なくとも落下による死亡は免れる。
【図面の簡単な説明】
【００２４】
【図１】本発明に係る安全ベルトの概略図。
【図２】安全ベルトの命綱の一部を収納した場合。
【図３】安全ベルトの命綱が収納され、フックがフック着脱具に取付けられている場合。
【図４】本発明の安全ベルトの具体例で、（ａ）は命綱が収納されている場合、（ｂ）は命綱が引き出されている場合。
【図５】安全ベルトを装着している場合。
【図６】安全ベルトを着用して作業している場合。
【符号の説明】
【００２５】
１  ベルト
２  バックル
３  連結係合部
４  ベルト長さ調整具
５  命綱
６  フック着脱具
７  フック
８  回転ドラム
９  命綱収納用ロープ
10  ガイド部
11  作業者
12  脚立
13  水平部材
14  足場
【図１】
2009045331.tif 000003
【図２】
2009045331.tif 000004
【図３】
2009045331.tif 000005
【図４】
2009045331.tif 000006
【図５】
2009045331.tif 000007
【図６】
2009045331.tif 000008